(57)【要約】【課題】ストロボ装置などの高重量の外部機器を装着したとしても、アクセサリシューの変形や破損を防止することができる撮影装置を提供する。【解決手段】レンズ鏡筒５ｂの外周円筒面に嵌合されたフロントプレート１２と、液晶表示パネル７の裏面側に配されたリヤプレート１３とを備え、アクセサリシュー１１をフロントプレート１２の上部に形成されたリブ１２ａとリヤプレート１３の上部に形成されたリブ１３ａとに固定する構成としたことにより、アクセサリシュー１１の取付強度を高めることができる。よって、ストロボ装置５１などの高重量の外部機器をアクセサリシュー１１に装着したとしても、アクセサリシュー１１が変形したり破損したりすることを防止することができる。【選択図】図４Ａ
2010026263.tif 000002
【特許請求の範囲】
【請求項１】
筐体と、
前記筐体の上面に配され、各種外部機器を装着可能なアクセサリシューとを備えた撮影装置であって、
前記筐体の上面に隣接した第１の側面に固定された第１の支持部材と、
前記第１の側面に対向した第２の側面に固定された第２の支持部材とを備え、
前記第１の支持部材及び前記第２の支持部材は、前記アクセサリシューを固定する固定部を備えた、撮影装置。
【請求項２】
前記第１の側面に配されかつレンズを内蔵した鏡筒を、さらに備え、
前記第１の支持部材は、前記鏡筒の外周円筒面に嵌合固定されている、請求項１記載の撮影装置。
【請求項３】
前記第２の側面に配されかつ画像を表示可能な表示パネルを、さらに備え、
前記第２の支持部材は、前記表示パネルにおける表示面の裏面側に配されている、請求項１または２記載の撮影装置。
【発明の詳細な説明】
【技術分野】
【０００１】
本発明は、ストロボ装置などの各種外部機器を着脱可能なアクセサリーシューを備えた撮影装置に関する。
【背景技術】
【０００２】
近年、デジタルカメラには、ストロボ装置やマイクロホンなどの各種外部機器を着脱可能なアクセサリーシューが搭載されている。特許文献１〜３には、アクセサリーシューの構成が開示されている。
【特許文献１】実開昭６１−０６６３２７号公報
【特許文献２】特開２０００−３３０１７１号公報
【特許文献３】特開２００８−１１２０１９号公報
【発明の開示】
【発明が解決しようとする課題】
【０００３】
しかしながら上記従来の構成では、アクセサリーシューは撮影装置の筐体上部にビスで固定されている構成であるため、取付強度が不十分であるという問題があった。したがって、アクセサリーシューにストロボ装置などの高重量の外部機器を装着した場合、アクセサリーシューが変形したり破損したりするという問題があった。
【０００４】
本発明の目的は、ストロボ装置などの高重量の外部機器を装着したとしても、アクセサリーシューの変形や破損を防止することができる撮影装置を提供することである。
【課題を解決するための手段】
【０００５】
本発明の撮影装置は、筐体と、前記筐体の上面に配され、各種外部機器を装着可能なアクセサリシューとを備えた撮影装置であって、前記筐体の上面に隣接した第１の側面に固定された第１の支持部材と、前記第１の側面に対向した第２の側面に固定された第２の支持部材とを備え、前記第１の支持部材及び前記第２の支持部材は、前記アクセサリシューを固定する固定部を備えたものである。
【発明の効果】
【０００６】
本発明によれば、ストロボ装置などの高重量の外部機器を装着したとしても、アクセサリーシューの変形や破損を防止することができる。
【発明を実施するための最良の形態】
【０００７】
本発明の撮影装置は、上記構成を基本として以下のような態様をとることができる。すなわち、本発明の撮影装置は、前記第１の側面に配されかつレンズを内蔵した鏡筒を、さらに備え、前記第１の支持部材は、前記鏡筒の外周円筒面に嵌合固定されている構成とすることができる。このような構成とすることで、アクセサリシューの取付強度を向上させることができるとともに、鏡筒の取付強度を向上させることができる。
【０００８】
また、本発明の撮影装置は、前記第２の側面に配されかつ画像を表示可能な表示パネルを、さらに備え、前記第２の支持部材は、前記表示パネルにおける表示面の裏面側に配されている構成とすることができる。このような構成とすることで、アクセサリシューの取付強度を向上させることができるとともに、表示パネルの表示面が押圧された際に割れなどが生じるのを防止することができる。
【０００９】
（実施の形態）
〔１．撮影装置の構成〕
図１Ａ及び図１Ｂは、本実施の形態における撮影装置の一例であるデジタルカメラの斜視図である。図１Ｃは、デジタルカメラの上面図である。図１Ｄは、デジタルカメラの背面図である。
【００１０】
図１Ａ〜図１Ｄに示すように、デジタルカメラ１は、その外郭が主に前面パネル２１、上面パネル２２、および背面パネル２３によって覆われている。また、デジタルカメラ１の前面１ｃには、外部の光をデジタルカメラ１内に取り込むことが可能な撮像部５が配されている。撮像部５は、主にレンズ、レンズ鏡筒５ｂから構成され、デジタルカメラ１の内部に配されている撮像素子まで光を導くことができる。
【００１１】
また、図１Ｃに示すように、デジタルカメラ１の上面１ａ（上面パネル２２）には、押圧操作することで撮像素子で撮像している画像を取り込むことができるレリーズボタン２、回転操作することで撮像部５に配されたズームレンズを光軸方向へ移動させ光像の拡大や縮小を行うことができるズームレバー３、回転操作することにより通常撮影モードや近接撮影モードやパソコン接続モードなどの各種動作モードを選択可能なモードダイヤル４などが配されている。また、デジタルカメラ１の上面１ａには、アクセサリシュー１１が配されている。
【００１２】
アクセサリシュー１１は、外付けタイプのストロボ装置やマイクロホンなどの各種外部機器を着脱することができる。また、アクセサリシュー１１は、図１Ｃに示すように、少なくとも外部に露出した部分が金属などの導電部材で形成された接点部１１ａと、外部機器を物理的に保持することができる保持部１１ｂとを備えている。接点部１１ａは、外部に露出した面の裏面側において、デジタルカメラ１内に配された電気回路基板と電気的に接続されている。したがって、アクセサリシュー１１に外部機器を装着し、接点部１１ａが外部機器の電気接点に当接することで、外部機器とデジタルカメラ１とを電気的に接続することができる。なお、アクセサリシュー１１に装着可能な外部機器は、接点部１１ａに電気的に接続可能な構成を備えた機器に限らず、保持部１１ｂに物理的に装着することができるだけの外部機器であってもよい。
【００１３】
また、図１Ｄに示すように、デジタルカメラ１の背面１ｄには、操作部６、液晶表示パネル７などが配されている。また、液晶表示パネル７は、撮像部５を介して入射する光像に基づき生成された画像（スルー画像）や、デジタルカメラ１に装着されたメモリカードなどの記録媒体から再生された画像などを表示することができる。
【００１４】
図２Ａ〜図２Ｄは、本実施の形態におけるデジタルカメラ１のアクセサリシュー１１に、ストロボ装置５１を装着した状態を示す。なお、ストロボ装置５１は、アクセサリシュー１１に着脱可能な外部機器の一例である。
【００１５】
アクセサリシュー１１にストロボ装置５１を装着する場合は、まず、ストロボ装置５１の発光部５２がデジタルカメラ１の前面１ｃと同一方向を向く姿勢にして、ストロボ装置５１の下端に配された接続部５３をアクセサリシュー１１における保持部１１ｂに装着する。装着する際は、接続部５３を保持部１１ｂに対して矢印Ａ（図２Ｂ参照）に示す方向へ挿入して装着する。接続部５３を保持部１１ｂに装着すると、接続部５３の下面に配された電気接点（不図示）が、アクセサリシュー１１における接点部１１ａ（図１Ｃ等参照）に対向する。次に、接続部５３の上部に回転自在に配されたダイヤル５４を矢印Ｂに示す方向へ回転させることにより、接続部５３が保持部１１ｂを挟持し、ストロボ装置５１がアクセサリシュー１１に固定される。この時、接続部５３の下面に配された電気接点（不図示）と、アクセサリシュー１１における接点部１１ａ（図１Ｃ等参照）とが電気的に接続される。
【００１６】
また、本実施の形態のデジタルカメラ１は、撮像部５にコンバージョンレンズなどの各種レンズユニットを着脱することができる。図３Ａは、コンバージョンレンズを装着する前の状態のデジタルカメラを示す。デジタルカメラ１にコンバージョンレンズを装着しない時は、撮像部５の先端に形成されているネジ部５ａにレンズリング（不図示）が螺合装着されている。図３Ａに示す状態は、レンズ鏡筒５からレンズリングが取り外され、ネジ部５ａが露出した状態である。図３Ｂは、撮像部５の先端にコンバージョンレンズ３１を装着した状態を示す。コンバージョンレンズ３１は、レンズアダプター３２を介して撮像部５に装着することができる。レンズアダプター３２は、略円筒形状をなしており、一方の端部にネジ部５ａに螺合可能なネジ部が形成され、他方の端部にコンバージョンレンズ３１に形成されたネジ部を螺合可能なネジ部が形成されている。
【００１７】
〔２．撮影装置の内部構造〕
図４Ａ及び図４Ｂは、本実施の形態のデジタルカメラ１の内部構造を示す。また、図４Ａ及び図４Ｂは、図１Ａ及び図１Ｂに示すデジタルカメラ１から、前面パネル２１，上面パネル２２、背面パネル２３などを取り外した状態を示す。本実施の形態では、図４Ａに示すように、撮像部５のレンズ鏡筒５ｂの外周部にフロントプレート１２が配されている。また、図４Ｂに示すように、デジタルカメラ１の背面１ｄ側にリヤプレート１３が配されている。
【００１８】
図５は、フロントプレート１２の構成を示す。フロントプレート１２は、板金などの平板状の金属板を加工して形成されているが、樹脂成型により形成してもよい。フロントプレート１２の略中央には、レンズ鏡筒５ｂを挿通可能な開口部１２ｄが形成されている。また、フロントプレート１２の上部には、フロントプレート１２の主平面に対して直交する方向に突出したリブ１２ａが形成されている。リブ１２ａには、後述するネジを螺合可能な孔部１２ｂ及び１２ｃが形成されている。また、フロントプレート１２の下部には、ネジを挿通可能な孔部１２ｅが形成されている。なお、リブ１２ａは、フロントプレート１２をデジタルカメラ１に組み込んだ際に、アクセサリシュー１１の下部に位置するように形成されている。
【００１９】
図６は、リヤプレート１３の構成を示す。リヤプレート１３は、板金などの平板状の金属板を加工して形成されているが、樹脂成型により形成されていてもよい。リヤプレート１３の略中央には、平面部１３ｄを備えている。平面部１３ｄは、リヤプレート１３をデジタルカメラ１に組み込んだ際に、液晶表示パネル７の表示面の裏面側に位置する。また、リヤプレート１３の上部には、平面部１３ｄの表面に対して直交する方向に突出したリブ１３ａが形成されている。リブ１３ａには、後述するネジを螺合可能な孔部１３ｂ及び１３ｃが形成されている。また、リヤプレート１３の下部には、背面カバー２３（図１Ｂ参照）の底面部２３ｄ（図１Ｄ参照）にネジなどで固定される固定部１３ｅが形成されている。
【００２０】
本実施の形態のデジタルカメラ１を組み立てる場合は、まず、図７Ａに示すように、前面カバー２１の内面にフロントプレート１２を装着する。この時、フロントプレート１２の開口部１２ｄと前面カバー２１の開口部２１ａとが重なり、フロントプレート１２の孔部１２ｅと前面カバー２１の下部に形成された孔部２１ｂとが重なるように装着する。図７Ｂは、前面カバー２１にフロントプレート１２が装着された状態を示す。図７Ｂに示すように、リブ１２ａは、前面カバー２１の上部に位置している。
【００２１】
一方、図８Ａに示すように、背面カバー２３の内面に、液晶表示パネル７を挟んでリヤプレート１３を装着する。この時、液晶表示パネル７は、その表示面が背面カバー２３の開口部２３ａを閉塞するように配された透明板２３ｂの内面に対向するように配される。また、リヤプレート１３は、その平面部１３ｄが液晶表示パネル７の裏面に対向するように配される。図８Ｂは、背面カバー２３にリヤプレート１３が装着された状態を示す。図８Ｂに示すように、リブ１３ａは、背面カバー２３の上部に位置している。
【００２２】
次に、図９Ａ及び図９Ｂに示すように、撮像部５，内蔵ストロボユニット１５、および電池収納部１６などを含む本体ユニット３１に、フロントプレート１２が装着された前面カバー２１と、リヤプレート１３及び液晶表示パネル７が装着された背面カバー２３とを装着する。なお、図９Ａ及び図９Ｂは、図示を明確にするために、前面カバー２１及び背面カバー２３の図示を省略している。図９Ａに示すように、フロントプレート１２は、開口部１２ｄに撮像部５のレンズ鏡筒５ｂが挿通されることにより、レンズ鏡筒５ｂの外周円筒面に保持されている。また、リヤプレート１３は、液晶パネル７と本体ユニット３１との間に位置している。また、リブ１２ａ及び１３ａは、内蔵ストロボユニット１５の基板１５ａの下部に位置している。また、リブ１２ａに形成された孔部１２ｂ及び１２ｃとリブ１３ａに形成された孔部１３ｂ及び１３ｃとは、基板１５ａに形成された孔部１５ｂに重なる位置にある。
【００２３】
次に、図１０に示すようにアクセサリシュー１１を装着する。すなわち、図１０に示すようにアクセサリシュー１１を基板１５ａの上面に配置し、４本のネジ１７で固定する。ネジ１７は、アクセサリシュー１１に形成された孔部１１ｃ、基板１５ａに形成された孔部１５ｂを挿通し、リブ１２ａに形成された孔部１２ｂ及び１２ｃ，およびリブ１３ａに形成された孔部１３ｂ及び１３ｃにそれぞれ螺合する。これにより、アクセサリシュー１１が、基板１５ａを挟んでフロントプレート１２及びリヤプレート１３に固定されることになる。
【００２４】
次に、図１１Ａ及び図１１Ｂに示すように、本体ユニット３１の上面に上面パネル２２を装着することにより、デジタルカメラ１が完成する。なお、図１１Ａ及び図１１Ｂでは、図示を明瞭にするために、前面パネル２１及び背面パネル２３の図示を省略した。
【００２５】
なお、前面パネル２１を本体ユニット３１に固定する際、ネジ（不図示）を、前面パネル２１の底面部２１ｃ（図７Ａ参照）に形成された孔部２１ｂと、フロントプレート１２に形成された孔部１２ｅとを挿通させて、本体ユニット３１における所定の孔部（不図示）に螺合する。これにより、フロントプレート１２の下部を本体ユニット３１に固定することができる。
【００２６】
また、背面パネル２３を本体ユニット３１に固定する際、ネジ（不図示）を、背面パネル２３の底面部２３ｄ（図８Ａ参照）に形成された孔部２３ｃと、リヤプレート１３に形成された固定部１３ｅを挿通させて、本体ユニット３１における所定の孔部（不図示）に螺合する。これにより、リヤプレート１３の下部を本体ユニット３１に固定することができる。
【００２７】
〔３．実施の形態の効果、他〕
本実施の形態によれば、レンズ鏡筒５ｂの外周円筒面に嵌合されたフロントプレート１２と、液晶表示パネル７の裏面側に配されたリヤプレート１３とを備え、アクセサリシュー１１をフロントプレート１２の上部に形成されたリブ１２ａとリヤプレート１３の上部に形成されたリブ１３ａとに固定する構成としたことにより、アクセサリシュー１１の取付強度を高めることができる。よって、ストロボ装置５１などの高重量の外部機器をアクセサリシュー１１に装着したとしても、アクセサリシュー１１が変形したり破損したりすることを防止することができる。
【００２８】
また、フロントプレート１２は、レンズ鏡筒５ｂの外周円筒面に嵌合された構成とすることにより、撮像部５のデジタルカメラ１に対する取付強度を高めることができる。よって、例えば図３Ｂに示すように撮像部５にコンバージョンレンズ３１などの高重量のレンズユニットを装着したとしても、撮像部５が破損するのを防止することができる。
【００２９】
また、リヤプレート１３は、液晶表示パネル７の表示面の裏面側に配したことにより、液晶表示パネル７の曲げ強度を高めることができる。よって、液晶表示パネル７の表示面に対して押圧力が加わったとしても、液晶表示パネル７を湾曲しにくくすることができるので、液晶表示パネル７におけるガラス基板の割れなどを防止することができる。
【００３０】
なお、本実施の形態では、フロントプレート１２をレンズ鏡筒５ｂの外周円筒面に嵌合する構成としたが、フロントプレート１２を保持させる箇所はレンズ鏡筒に限らない。例えば、電池収納部１６の側面であってもよい。
【００３１】
また、本実施の形態では、前面パネル２１、上面パネル２２、背面パネル２３で、デジタルカメラ１の主な外郭筐体を形成しているが、例えば前面パネルと上面パネルとが一体的に形成されているなど、他の形態であってもよい。
【００３２】
また、本実施の形態におけるフロントプレート１２、リヤプレート１３はその上部にリブ１２ａ、リブ１３ａが形成されていることとしたが、リブ１２ａ、リブ１３ａはフロントプレート１２、リヤプレート１３と一体に形成されていてもよいし、リブ１２ａ、リブ１３ａを別部品とし、フロントプレート１２、リヤプレート１３の上部に強固に固定する構成としてもよい。
【００３３】
また、本実施の形態における前面パネル２１、上面パネル２２、背面パネル２３は、本発明における筐体の一例である。また、本実施の形態におけるフロントプレート１２は、本発明における第１の支持部材の一例である。また、本実施の形態におけるリヤプレート１３は、本発明における第２の支持部材の一例である。また、本実施の形態におけるリブ１２ａ及び１３ａは、本発明における固定部の一例である。
【産業上の利用可能性】
【００３４】
本発明の撮影装置は、アクセサリシューを備えた機器に有用である。
【図面の簡単な説明】
【００３５】
【図１Ａ】実施の形態における撮影装置の外観を示す斜視図
【図１Ｂ】実施の形態における撮影装置の外観を示す斜視図
【図１Ｃ】実施の形態における撮影装置の外観を示す上面図
【図１Ｄ】実施の形態における撮影装置の外観を示す背面図
【図２Ａ】実施の形態における撮影装置にストロボ装置を装着した状態を示す斜視図
【図２Ｂ】実施の形態における撮影装置にストロボ装置を装着した状態を示す斜視図
【図２Ｃ】実施の形態における撮影装置にストロボ装置を装着した状態を示す正面図
【図２Ｄ】実施の形態における撮影装置にストロボ装置を装着した状態を示す背面図
【図３Ａ】実施の形態における撮影装置の外観を示す斜視図
【図３Ｂ】コンバージョンレンズが装着された撮影装置の斜視図
【図４Ａ】実施の形態における撮影装置の内部構造を示す斜視図
【図４Ｂ】実施の形態における撮影装置の内部構造を示す斜視図
【図５】フロントプレートの斜視図
【図６】リヤプレートの斜視図
【図７Ａ】フロントプレートと前面パネルの斜視図
【図７Ｂ】フロントプレートと前面パネルの斜視図
【図８Ａ】リヤプレート、液晶表示パネル、背面パネルの斜視図
【図８Ｂ】リヤプレート、液晶表示パネル、背面パネルの斜視図
【図９Ａ】実施の形態における撮影装置の内部構造を示す斜視図
【図９Ｂ】実施の形態における撮影装置の内部構造を示す斜視図
【図１０】実施の形態における撮影装置の内部構造を示す斜視図
【図１１Ａ】実施の形態における撮影装置の内部構造を示す斜視図
【図１１Ｂ】実施の形態における撮影装置の内部構造を示す斜視図
【符号の説明】
【００３６】
１１  アクセサリシュー
１２  フロントプレート
１２ａ  リブ
１３  リヤプレート
１３ａ  リブ
【図１Ａ】
2010026263.tif 000003
【図１Ｂ】
2010026263.tif 000004
【図１Ｃ】
2010026263.tif 000005
【図１Ｄ】
2010026263.tif 000006
【図２Ａ】
2010026263.tif 000007
【図２Ｂ】
2010026263.tif 000008
【図２Ｃ】
2010026263.tif 000009
【図２Ｄ】
2010026263.tif 000010
【図３Ａ】
2010026263.tif 000011
【図３Ｂ】
2010026263.tif 000012
【図４Ａ】
2010026263.tif 000013
【図４Ｂ】
2010026263.tif 000014
【図５】
2010026263.tif 000015
【図６】
2010026263.tif 000016
【図７Ａ】
2010026263.tif 000017
【図７Ｂ】
2010026263.tif 000018
【図８Ａ】
2010026263.tif 000019
【図８Ｂ】
2010026263.tif 000020
【図９Ａ】
2010026263.tif 000021
【図９Ｂ】
2010026263.tif 000022
【図１０】
2010026263.tif 000023
【図１１Ａ】
2010026263.tif 000024
【図１１Ｂ】
2010026263.tif 000025